(57)【要約】【課題】情報記載領域を増やし、受け取った相手に強いメッセージを与えるために、1枚の紙からシンプルな構造で作成した飛び出す名刺または、カードを提供する。【解決手段】折りたたみ式の名刺または、カードは、21の折り目で折りたたまれるが、飛び出し部20は折り目22、23、24によって、本体19内に折りたたみ時に収納され、その形20は本体19に収まる最大の大きさのハート形もしくは扇形（その他用途に応じて、形を使い分ける）であり、その部分20の裏表には似顔絵やメッセージなど様々な情報を入れることが可能であることを特徴とする。【選択図】図６
2015168193.tif 000002
【特許請求の範囲】
【請求項１】
二つ折りで形成された本体上部に、本体展開時に飛び出す部分を一体形成した一枚の紙からなる名刺または、カード。
【請求項２】
前記、飛び出す部分がハート形または、扇形、それに近い形をしている形態（その他用途に応じて、形を使い分ける）をしている請求項１記載の名刺または、カード。
【請求項３】
前記、飛び出し名刺の一端に切れ込み、差し込み部があり、かつ、本体の一端に差し込み用の切り込みを形成したことを特徴とする請求項１及び請求項２記載の名刺または、カード。
【請求項４】
前記、飛び出す部分（表・裏面）に似顔絵などのイラスト・写真・QRコード（登録商標）、メッセージの少なくとも１つを形成したことを特徴とする、請求項１及び請求項２及び請求項３記載の名刺または、カード。
【発明の詳細な説明】
【技術分野】
【０００１】
この発明は、1枚の紙からできた、開いた瞬間に飛び出す仕組みになった折りたたみ式の名刺または、カードに関するものである。
【背景技術】
【０００２】
従来の名刺は名前や連絡先が小さな四角形の紙に記載されているものが多く、名刺をいただいても他のものと差別化ができなかった。
【０００３】
このような課題を解決するために、折りたたみ式の名刺で飛び出すしかけを盛り込んだ名刺または、カード類が開発されている（特許文献１、２、４）。
また、似顔絵（肖像）が飛び出すしくみを設け、渡した相手に意外性、注視性などを高めた名刺も開発されている（特許文献２、３、４）。
【先行技術文献】
【特許文献】
【０００４】
【特許文献１】実用新案登録第３１８６２８３号
【特許文献２】実用新案登録第３１８８９６７号
【特許文献３】実用新案登録第３１７０３６４号
【特許文献４】特開平９ッ２６３０７７号
【発明の概要】
【発明が解決しようとする課題】
【０００５】
従来の飛び出す折りたたみ式名刺または、カードには以下のような欠点があった。いずれも２つのパーツからできており、それらを貼り合わせるという複雑なしくみとなっている。よって大量生産をするにはコストや時間がかかる。そのほか、飛び出し部の裏面は、情報を記載する領域として使用することができないという欠点もある。
【０００６】
また、似顔絵が飛び出すしくみのもので、貼付けという作業がないものは、折りたたみ式の名刺ではないため、飛び出す部分の面積は小さい。また、名刺を受け取った方が折り曲げるという作業をしなければいけなかった（特許文献３）。
本発明は、以上のような欠点をなくすためになされたものである。
【課題を解決するための手段】
【０００７】
上記の課題を解決するために、本発明は折りたたみ式名刺または、カード本体１の上部に飛び出し部２を設けた1枚の紙で、その飛び出し部を折り目４、５、６で折りたたみ、飛び出すしくみを発明した。［参照：図１（A）］
【０００８】
従来の技術のように、飛び出す部分を別のパーツを作成し、それを折って貼付けることで組み立てるという構造ではなく、1枚の紙で折りたたみ名刺または、カードの本来の折れ目３以外に、飛び出し部の中心の折れ目４、飛び出し部と本体の境目の折れ目５、６の合計４本の折れ目のみで、飛び出す構造を発明した。
【０００９】
飛び出し部２の工夫として、内側に折り込む「形」と「位置」に気を配った。飛び出し部２の形については、飛び出す形が大きい方が、インパクトが強いと考え、折りたたみ式名刺または、カードを折りたたんだとき［参照：図１（B）］に、内側に収まる形で一番大きく、見た人にインパクトを与えることができる形を検討した。
【００１０】
その結果、飛び出し部２は上に広がる扇形７にすると、飛び出すときの動作も大きく、面積も広くとれることが判明した［参照：図１（A）］。このとき、折れ目５、６で形成される鈍角とすることで、飛び出し部２の面積を大きくすることができる。
【００１１】
図１（C）は飛び出し部２を折りたたんで名刺または、カード本体１に格納したときの状態の左半分を示している。飛び出し部２の扇形７の大きさにもよるのだが、扇形の中心８の部分が名刺または、カード本体１からはみ出ることが多いことが判明した。
【００１２】
そこで、名刺または、カード本体９に収まりきれない扇形７の中心８の部分をカットすることで、折りたたんだときに突出部２が収まるように調節した。［参照：図２（B）］
図１（B）、図２（A）にあるように折りたたんだときの名刺または、カード本体は同じ形で、飛び出し部２の輪郭の形のみを加工した。
【００１３】
図２（B）にあるように突出部10を丸みを帯びた形11にカットしたところ、平面図ではハート形になった。［参照：図２（C）］
【００１４】
折りたたみ名刺または、カード本体９内に収納できる、一番大きな面積の飛び出し部10はハート型と判明した。飛び出し部10の形は、使用する用途によって自由に変更可能であるが、本考案ではハート型の飛び出し部を中心に説明を進めることにする。
【００１５】
次に飛び出し部10の折り込む位置について、検討する。図２（A）にもあるように、飛び出し部を名刺または、カード本体９の内側に折り込むため、名刺本体９の縦12の長さより、本体折れ目３の長さは短くなるため、長方形ではなく、五角形になってしまう。
【００１６】
図３（A）で示しているように、名刺本体または、カードの折れ目13が名刺本体16の長さの半分程度になってしまうと、折りたたんだ状態が長方形とはかけ離れた五角形になるため、持ちにくく、名刺交換をしにくいという欠点がある。
【００１７】
よって、名刺・本体または、カードの折れ目の長さは、名刺本体16の縦の長さ14の70〜90％の範囲内で設定する。（名刺として使用する場合、17、18の折れ目の長さが長いものは、推奨しない）飛び出し部15の面積もハート形の10に比べるとやや小さい。
【発明の効果】
【００１８】
本発明は開けたときに大きな飛び出し部が飛び出すことにより、受け取った方を驚かすことができるほか、飛び出し部に似顔絵や強いメッセージを配置することで、強烈な印象を与えることができる。
【００１９】
名刺で使用する場合、折りたたんだ状態では、普通の名刺だが、中身は個人のプロフィールなどを載せる形にするなど、場所により掲載する情報の使い分けをしやすいのが本発明の構造の特徴である。
【００２０】
また、折りたたみ式の飛び出す名刺または、カードであるが、1枚の紙からできている構造のため、図４の平面図のように表（A）と裏（B）に情報を記載することができる。情報を記載できる領域が増えるだけではなく、折れ目が付いた飛び出す形態のため、画像や文字、地図、イラスト（似顔絵）などの様々な情報を用途に応じて、アレンジして配置することが可能である。（例えば、重要度が低い地図を飛び出し部の裏に配置するなど）
本発明は、以上の構成よりなる、多くの情報を収容できる飛び出す名刺または、カードである。
【００２１】
従来の折りたたみ式の飛び出す名刺より、情報の記載面が多いため、有効なコミュニケーションツールとして使用することができる。
また、１枚の紙を４カ所折るだけで飛び出すしくみができるというシンプルな構造のため、大量生産にも対応できる。
【図面の簡単な説明】
【００２２】
【図１】飛び出し部の大きさの検討
【図２】飛び出し部を格納する形の検討
【図３】飛び出し部を本体内に格納する際の折り目の位置の検討
【図４】名刺の平面図（表・裏）
【図５】名刺を閉じた状態から開く瞬間を示した斜視図
【図６】名刺を開いた状態を示した斜視図
【図７】上記図５に留め具を付けたパターンの斜視図
【図８】上記図５に折り返し式の留め具を付けたパターンの斜視図
【図９】カードとして用いた例を示す斜視図
【発明を実施するための形態】
【００２３】
以下、本発明を実施するための形態について、名刺で使用した例を用いながら、図４〜６を参照し、説明する。
本発明は、折りたたみ式の飛び出す名刺であり、名刺本体19に飛び出し部20が付いた1枚の紙から作られている。よって、内側の面［図４（A）］と外側の面［図４（B）］の全ての領域に情報を記載することが可能である。
【００２４】
内側の面の飛び出し部20には、似顔絵や写真、一番伝えたいメッセージなどを配置して、自己アピールをしていただき、外側の面は会社の情報を掲載した上で、飛び出し部の裏には地図を配置するなど、用途に合わせて様々な使用方法が可能である。
【００２５】
この1枚の紙をまずは、名刺本体19と飛び出し部20の中心の折れ目21、22で折り曲げつつ、飛び出し部20を名刺本体19にしまうために、折り目23と24を折る。それにより、飛び出し部20は名刺を閉じているときは、図５のように名刺本体19の中に完全に収まる。
【００２６】
図５を用いて、閉じた名刺の形態を説明する。［外側の形態を分かりやすく見せるため、図４（B）のデザインを略している］図５の（A）は外側の表面、（C）は外側の裏面になる。
【００２７】
図４（A）は完全に閉じた状態だが、途中まで名刺を開けた状態が図４（B）である。この状態になると、名刺本体19の中に折りたたまれていた飛び出し部20の中央の22の折れ目が開いてくる。
【００２８】
図６は、名刺本体19を完全に開いたときの図である。名刺本体が閉じられていたときは折りたたまれて収納されていた飛び出し部20の中央の折り目22、名刺本体との折り目23、24もかなり開いた状態になることで、飛び出し部20が斜めに立った状態で飛び出すしくみとなっている。
【００２９】
上記の構造のみの場合、使用する紙の厚さによって、折りたたまれた飛び出し部20の厚みで、名刺または、カード本体19が浮き上がってしまう。これを回避するために、表面の名刺または、カード本体19を固定するしくみを２種開発した。［参照：図7、図８］
【００３０】
図７は、名刺自体の厚さを変えずに２カ所の三角形25Aと25Bを切り抜き、切り込み26を1カ所入れるだけで留め金が完成する例である。
図７(A)のように名刺本体表面19Aの上の角に、尖った差し込み部26を作り、名刺本体裏面の19Bの上の角には差し込み部26を差し込むための切り込み27を入れる。［参照：図７（B）］
【００３１】
差し込み部26の作り方については、図７（D）で説明している通り、直角二等辺三角形25Aと25Bの２つ分を、差し込み部26の場所を残してカットすればよい。
それを名刺本体裏面19B上部に入れた切り込み27に差し込んだ状態が、図７（C）の状態である。
また、もう一案は、以下のような構造である。
【００３２】
図８（B）のように、名刺本体裏側19Bが表面19Aより少し横長の構造をしており、切り込み29を要する構造である。裏面の長い部分は、表面19Aと同じ幅の30の部分で折り返し、29の切れ込み部分に表面19Aを挟み込み、コンパクトになる工夫を加えている。
【００３３】
以下、本考察の名刺以外の使用例を説明する。名刺以外で使用するのであれば、メッセージカードなどで利用することができる。図９で結婚式披露宴などで使用する例を紹介する。
【００３４】
ハートが起き上がるような形態をしているので、結婚式でテーブルの上に置くウェルカムカードや、結婚式の引き出物に入れるお礼のメッセージカードとして、ハート形の突出部の表面には二人の名前と写真、裏面には新居の地図を掲載するなど、使用できる。
【００３５】
また、父の日や母の日、バレンタインデーのメッセージカードとして、ハート部分にメッセージを入れつつも、秘密のメッセージを入れたQRコード（登録商標）をカードに配置するなど、用途は広い。
【符号の説明】
【００３６】
１    名刺または、カード本体
２    飛び出し部
３    名刺または、カード本体の折れ目
４    飛び出し部の中心の折れ目
５    第一の折れ目
６    第二の折れ目
７    飛び出し部扇形局面
８    飛び出し部扇形中央部
９    本体
10    飛び出し部ハート形
11    飛び出し部ハート型局面
12    本体の縦の長さ
13    本体の中心線短い場合
14    本体の縦の長さ
15    飛び出し部
16    本体
17    第一の折れ目
18    第二の折れ目
19    本体
20    飛び出し部
21    中央部
22    飛び出し部の中央部
23    第一の折れ目
24    第二の折れ目
25    本体
26    突出部
27    本体の折れ目
28    本体の折れ目
29    第一の折れ目
30    第二の折れ目
【図１】
2015168193.tif 000003
【図２】
2015168193.tif 000004
【図３】
2015168193.tif 000005
【図４】
2015168193.tif 000006
【図５】
2015168193.tif 000007
【図６】
2015168193.tif 000008
【図７】
2015168193.tif 000009
【図８】
2015168193.tif 000010
【図９】
2015168193.tif 000011